(57)【特許請求の範囲】
【請求項１】
薬類を収納する複数の引出体と、この引出体に施錠するロッ
ク装置と、このロック装置を駆動制御する制御部とを備えた薬類保管庫において、
前記引出体の開状態の場合に信号を出力するセンサーを備え、この信号は引出体が閉塞されるまで継続して出力され、且つ、引出体が開放中である旨のメッセージが表示され続け、この表示が消えるまでは次の操作ができないことを特徴とする薬類保管庫。
【発明の詳細な説明】
【０００１】
【産業上の利用分野】
本発明は、病院や薬局等に置かれ注射器やアンプル等の輸液用薬剤を保管し、自動的に供給する薬類保管庫に関する。
【０００２】
【従来の技術】
一般に、病院、薬局、ナースステーション等では、注射器、アンプル、服用液薬のカップ容器等の輸液用薬剤は、中に劇薬や麻薬もあり厳重に管理を必要とするため、施錠された保管庫に収納されている。そして、この種の輸液を使う場合は取扱者が保管庫の該当する引出体を解錠し、必要な種類、個数の輸液を取り出した後、台帳に記入し再び施錠していた。
【０００３】
しかし、劇薬や麻薬等は上記したように特に厳重な管理を必要とするにも拘ず、取扱者の管理だけに頼っているため、取扱者の台帳への記入忘れや記入ミス、施錠忘れ等があると紛失や盗難の危険があるという問題があった。
【０００４】
そこで、本件出願人は特願平１−１３２０５９号明細書に記載したように、薬類を収容する複数の引出体と、この引出体に施錠するロック装置と、このロック装置を駆動制御する制御部とを備えた薬類保管庫を発明した。
【０００５】
【発明が解決しようとする課題】
しかし、上記の構成によると、引出体が多数になると開放が指示された引出体を捜すのが困難となり、どの引出体を開放するのかを認識するのに時間がかかり操作性が悪くなるという問題があった。
【０００６】
本発明は斯る点に鑑みなされたもので、引出体が多数でも開放を指示した引出体を簡単に確認でき、また、フォトセンサーとセンサー感知板との位置合わせも簡単に行えて生産性が良く、使用性に優れた薬類保管庫を提供することを目的とする。
【０００７】
【課題を解決するための手段】
本発明は、薬類を収納する複数の引出体と、この引出体に施錠するロッ
ク装置と、このロック装置を駆動制御する制御部とを備えた薬類保管庫において、前記引出体の開状態の場合に信号を出力するセンサーを備え、この信号は引出体が閉塞されるまで継続して出力され、且つ、引出体が開放中である旨のメッセージが表示され続け、この表示が消えるまでは次の操作ができないことを特徴とする。
【０００８】
【作用】
本発明の薬類保管庫は上記の構成により、引出体の開けっ放しを防止することができる。
【０００９】
【実施例】
以下、本発明の実施例を図面に基づいて説明する。
【００１０】
１は輸液用の薬類保管庫である。この保管庫は、上部に開口を有する箱体２と、この箱体の開口を開閉自在に閉塞する蓋体３とからなる本体ユニット４と、この本体ユニット内上部に縦方向に整列して収納され、内部に注射器５、アンプル６、服用薬入りカップ容器７等の輸液用の薬剤を収納した３種類の複数のカセット８，９，１０と、このカセット及び本体ユニット４を駆動制御する制御装置１１とから構成される。
【００１１】
１２は前記カセット８，９，１０の下方で本体ユニット４の下部に設けられた引き出しであり、この引き出しは２本のベルト１３上に固定されて自動的に摺動し本体ユニット４前方に所定量引き出し可能になっている。即ち、引き出し１２の駆動装置は、後述する制御装置１１からの信号により駆動するモータ１４と、このモータに軸支されて回転するローラ１５と、このローラに圧接され支軸１６を有する圧接ローラ１７と、前記支軸１６の両端に固着され圧接ローラ１７と共に回転する２個の駆動ローラ１８と、この２個の駆動ローラ１８及びこれと対向して設置された２個の回転ローラ１９と、これら駆動ローラ１８と回転ローラ１９に張架された前記２本のベルト１３とから構成されており、引き出し１２は前記２本のベルト１３上に固定されてベルト１３と共に前後に移動する。ここで、引き出し１２はカセット８，９，１０の全て（カセットが縦３列分）に対応する幅寸法とカセット８，９，１０の横４列分に対応する奥行き寸法を有する大きさ、即ち、本体ユニット４の平面形状の半分以下の大きさに形成されている。
【００１２】
そして、この引き出し１２には、取扱者が所望とした薬剤、即ち、制御装置１１の後述する入力部で指定した種類、個数の薬剤が所定のカセットから落下される。ここで、この引き出し１２は、制御装置１１の入力部で入力された情報に基づいて指定された薬剤が入ったカセットの位置まで前後方向に所定量自動的に移動する。これにより、引き出し１２が前述したようにコンパクトに形成されていても、全てのカセット８，９，１０に対処することができ、引き出し１２の引き出し時の突出寸法を削減し省スペースに寄与できるものである。なお、２０は引き出しの後部に斜めに形成された案内板であり、カセット８，９，１０から落下した薬剤がなるべく引き出し１２の前方に行くようにして取り出し時の利便を図っている。
【００１３】
２１は本体ユニット４の側部に設けられた多数の引出体である。
【００１４】
２４はユニット本体４の箱体２及び蓋体３に装着されたロック装置、２５は各引出体２１に設けられたロック装置であり、これらのロック装置はいずれも制御装置１１の識別部で取扱者の識別が確認された場合にのみ解錠される。
【００１５】
カセット８，９，１０は上述したように本体ユニット４内の上部に縦方向に整列して収納されているが、これらカセットは内部に注射器５を収納したカセット８と、アンプル６を収納したカセット９と、服用薬入りカップ容器７を収納したカセット１０の３種類に大別される。これらカセットは各種の輸液用薬剤が収納できるように各々専用品となっているが、その外形形状は全て共通化されており、薬剤の種類や数の割合が任意に設定でき、しかも、収納後の割合の変更も容易に行えるようになっている。
【００１６】
次に、制御装置１１について説明する。制御装置１１は、図１０に示すように、パスワードやＩＣカード等の個別識別手段により使用者を個別識別する識別部４７と、前記本体ユニット４から取り出す薬剤の種類、個数を入力する入力部４８と、この入力部に入力された情報を記憶する記憶部４９と、入力部４８に入力された情報、記憶部４９に記憶された情報、及び、本体ユニット４からフィードバックされた情報を表示する表示部５０と、前記入力部４８で指定された情報に基づいて前記本体ユニット４から所望とする種類、個数の薬剤を自動的に取り出すためにカセット８，９，１０や引き出し１２、或いは、ロック装置２４，２５を駆動制御する制御部５１とから構成されている。
ここで、識別部４７にはＩＣカードや磁気カード等のカードリーダーを使用すれば良いが、この他、パスワード、指紋、音声、手紋（３次元的な手の形）、サイン等の識別装置を使用しても良く、いずれの場合にも登録した者でなければ薬類保管庫を操作できないようにする。
また、識別部４７や入力部４８や表示部５０には市販されているパソコンを使用すれば良いが、専用機器を製作して本体ユニット４内に組み込んでも良い。この時、入力部４８または制御部５１に各作業の目的に応じた動作モードの切り替え装置を設けておくと便利である。例えば、通常の薬剤の取り出し運転を行う場合には薬剤取り出しモード、薬剤の補給を行う場合には薬剤補給モード、在庫チェック等を行う場合には記録モードという具合である。
【００１７】
前記引出体２１は図５乃至図８に示したように、一側に設けたレール取付板２６に固定された上下２個のレール２７に片持支持されて引き出し可能になっている。
【００１８】
２５は前記引出体２１の後部に設けたロック装置、２８は引出体２１の後部に設けた圧縮バネである。
【００１９】
前記ロック装置２５は、鉤部となる孔２９を有し前記引出体２１に取り付けられたＬ字形の突片３０と、この突片の孔２９に引掛かる爪部３１を有し引っ張りバネ３２によって回転方向に附勢された回転体３３と、前記バネ３２の一端を係止した作動片３４を有し制御装置１１からの信号により作動するソレノイド３５とをベース板３６に固定して構成されている。前記回転体３３にはソレノイド３５の作動片３４に引っ掛かる凹部３７と、膨出部３８とが形成されている。
３９はベース板３６に形成した回転体３３のストッパーである。４０はフォトセンサーであり、前記回転体３３の膨出部３８の上方に設置した発光素子４１と下方に設置した受光素子４２とで構成され、両素子４１，４２間に膨出部３８が介在している時にはＯＦＦ状態にあり、両素子４１，４２間に膨出部３８が介在していない時にはＯＮ信号を制御装置１１に出力している。
このＯＮ信号は引出体２１が開放しているという信号であるため、この旨が表示部５０に表示される。そして、引出体２１を閉めてフォトセンサー４０をＯＦＦとするまで前記ＯＮ信号は解除されない。
従って、このＯＮ信号をチェックすることにより、引出体２１の開けっ放しを防止することができる。
【００２０】
このロック装置２５は、例えば、操作者が制御装置１１を操作して所定の引出体２１の開放を指示すると、ソレノイド３５が通電されて作動片３４がバネ３２の弾性力に抗して引っ込み、凹部３７が作動片３４から開放されて回転体３３が図７中実線矢印方向に回転する。これにより、引出体２１の突片３０の孔２９から回転体３３の爪部３１が外れ、引出体２１はバネ２８の弾性力により前方に押し出される。
ここで、突片３０は回転体３３の回転に伴うバネ３２の弾性力によっても若干押し出される。そして、回転体３３は、爪部３１がベース板３６のストッパー３９に当った位置で止まる。（図７中破線で示す位置）
この状態、即ち引出体２１を開放した状態から、操作者が所望の薬剤を取り出して再び引出体２１を閉める場合には、突片３０の先端が回転体３３の角部４３に当り、回転体３３は図７中破線矢印方向に回転する。そして、突片３０の孔２９に回転体３３の爪部３１が引っ掛かると共に、ソレノイド３５の作動片３４が回転体３３の凹部３７に引っ掛かり、施錠された元の状態に復帰する。
【００２１】
即ち、引出体２１の解錠時には、制御装置１１の操作により回転体３３を回転させて爪部３１を孔２９から解除すると共に、バネ２８にて前記引出体２１を引き出し方向に自動的に押し出すものである。
【００２２】
このように構成された薬類保管庫において、解錠時には、制御装置１１の操作によりソレノイド３５に通電し回転体３３を回転させて爪部３１を孔２９から解除すると共に、バネ２８の弾性力により引出体２１を引き出し方向に押し出すことができ、引出体２１が多数あっても、開放指示した引出体２１が直接自動的に押し出されていることで確認することができる。また、施錠、解錠、引出体２１の自動押し出しは、バネ２８によって簡単に行えるため、装置を複雑化することもない。
【００２３】
更に、回転体３３の回転に連動して出力されるフォトセンサー４１のＯＮ信号は、例えば、引出体２１の近傍に設けたＬＥＤ４４を点灯させたり、表示部５０のＣＲＴ画面上に表示したりする出力とすることにより、開放を指示した引出体２１を簡単に確認することができ、引出体２１が多数あっても、どの引出体２１を開放するのかを捜す手間がなくなり操作性を向上できる。しかも、前記フォトセンサー４０のＯＮ信号は引出体２１が閉塞されてセンサー４０がＯＦＦとなるまで継続して出力されており、例えば、表示部５０に引出体２１が開放中である旨のメッセージが表示され続け、これが消えるまでは次の操作ができないようになっている。
これにより、引出体２１の開けっ放しは防止できる。また、フォトセンサー４０は、回転体３３の両側に発光素子４１と受光素子４２とを配置するという簡単な構成であり、しかも、この回転板３３を利用したセンサー感知板である膨出部３８とフォトセンサー４０とは共にロック装置側２５に組み込まれているため、引出体２１との位置合わせをするまでもなく比較的ラフな設定で組み立てることができ、組立作業性を向上して生産性を向上できる。
【００２４】
以上のように本願によれば、解錠時には、制御装置の操作により回転体を回転させて爪部を鉤部から解除すると共に、告知手段にて開放を指示した引出体を簡単に確認することができ、引出体が多数あっても、どの引出体を開放するのかを捜す手間がなくなり操作性を向上できる。また、フォトセンサーは、回転体の両側に発光素子と受光素子とを配置するという簡単な構成であり、しかも、この回転板を利用したセンサー感知板とフォトセンサーとは共にロック装置側に組み込まれているため、引出体との位置合わせをするまでもなく比較的ラフな設定で組み立てることができ、組立作業性を向上して生産性を向上できる。
【００２５】
【発明の効果】
以上のように本発明によれば、引出体の開けっ放しを防止することができる。
【図面の簡単な説明】
【図１】薬類保管庫の斜視図である。
【図２】薬類保管庫の平面図である。
【図３】薬類保管庫の正面図である。
【図４】薬類保管庫の側面図である。
【図５】引出体の正面図である。
【図６】引出体の正面図である。
【図７】ロック装置の平面図である。
【図８】ロック装置の正面図である。
【図９】薬類保管庫の正面図である。
【符号の説明】
１１    制御装置
２１    引出体
２５    ロック装置
２８    圧縮バネ
２９    孔
３０    突片
３１    爪部
３２    バネ
３３    回転体
３８    膨出部
４０    フォトセンサー
４１    発光素子
４２    受光素子
４４    ＬＥＤ
５０    表示部
【図１】
0003547765.tif 000002
【図２】
0003547765.tif 000003
【図３】
0003547765.tif 000004
【図４】
0003547765.tif 000005
【図５】
0003547765.tif 000006
【図６】
0003547765.tif 000007
【図７】
0003547765.tif 000008
【図８】
0003547765.tif 000009
【図９】
0003547765.tif 000010